(57)【特許請求の範囲】
【請求項１】
出力軸を有するエンジンと、当該エンジンの排ガスに含まれる窒素酸化物と還元剤とを反応させる排ガス浄化装置と、前記エンジンの作動を制御するエンジンコントローラであって前記排ガス浄化装置の状態に応じて前記エンジンの出力に制限を与えるものと、を備えた作業機械に設けられる油圧駆動装置であって、
前記エンジンの出力軸に連結され、当該エンジンにより駆動されることにより作動油を吐出する油圧ポンプと、
当該油圧ポンプが吐出する作動油の供給を受けて前記作業機械に含まれる駆動対象要素を動かす油圧アクチュエータと、
前記油圧ポンプと前記油圧アクチュエータとの間に介在し、制御圧の入力を受けて開弁動作することにより前記油圧ポンプから前記油圧アクチュエータに供給される作動油の流量を前記制御圧に応じて変化させるコントロールバルブと、
前記油圧アクチュエータを動かすための操作を受ける操作部材を含み、当該操作部材に与えられる操作に対応した前記制御圧を前記コントロールバルブに入力する操作部と、
前記操作部材の操作による前記操作部から前記コントロールバルブへの前記制御圧の入力を阻止する阻止状態と当該入力を許容する許容状態とに切換えられる制御圧入力切換部と、
前記制御圧入力切換部の作動を制御する遮断切換制御部と、
前記制御圧入力切換部を前記阻止状態から前記許容状態に切換えて前記制御圧の入力を回復させるための操作を受けることにより回復指令を生成して前記遮断切換制御部に入力する回復指令入力部と、を備え、
前記遮断切換制御部は、前記エンジンコントローラが当該エンジンコントローラによる前記エンジンの出力の制限のレベルが一定以上である特定制限状態にある場合に前記制御圧入力切換部を前記阻止状態とし、かつ、前記エンジンコントローラが前記排ガス浄化装置の状態に応じた前記エンジンの出力の制限による前記特定制限状態にあっても前記回復指令が入力された場合には当該特定制限状態のまま前記制御圧入力切換部を前記許容状態にする、作業機械の油圧駆動装置。
【請求項２】
請求項１記載の作業機械の油圧駆動装置であって、前記操作部は、制御圧発生源と、この制御圧発生源と前記コントロールバルブの制御圧入力部との間に介在して前記操作部材に与えられる操作に対応した制御圧の入力を許容するように開弁する操作弁と、を含み、前記制御圧入力切換部は、前記制御圧発生源から前記制御圧入力部に至るまでの制御圧入力経路中に設けられて当該制御圧入力経路を遮断する状態と開通する状態とに切換えられる制御圧遮断弁を含む、作業機械の油圧駆動装置。
【請求項３】
請求項１または２記載の作業機械の油圧駆動装置であって、前記回復指令入力部は、回復スイッチを表示することが可能な表示画面を有して当該回復スイッチが表示される部位への操作によって前記回復指令を生成する表示装置を含み、前記入力切換制御部は、前記エンジンコントローラが前記特定制限状態にある場合にのみ前記表示装置に前記回復スイッチを表示させる、作業機械の油圧駆動装置。
【請求項４】
請求項１〜３のいずれかに記載の作業機械の油圧駆動装置であって、前記油圧ポンプは、そのポンプ容量が調節可能な可変容量型油圧ポンプであり、前記油圧駆動装置は、当該油圧ポンプのポンプ容量を制御するポンプ容量制御部であって少なくとも前記特定制限状態では前記ポンプ容量を制限するポンプ容量制御部をさらに備え、前記遮断切換制御部は、前記回復指令が入力された場合には前記ポンプ容量が制限されたまま前記制御圧入力切換部を前記許容状態にする、作業機械の油圧駆動装置。
【請求項５】
出力軸を有するエンジンと、
当該エンジンの排ガスに含まれる窒素酸化物と還元剤とを反応させる排ガス浄化装置と、
前記エンジンの作動を制御するエンジンコントローラであって前記排ガス浄化装置の状態に応じて前記エンジンの出力に制限を与えるエンジンコントローラと、
請求項１〜４のいずれかに記載の油圧駆動装置と、を備える作業機械。
【発明の詳細な説明】
【技術分野】
【０００１】
本発明は、エンジンを搭載した作業機械に設けられ、当該作業機械に含まれる駆動対象要素を油圧によって駆動するための油圧駆動装置、及び当該油圧駆動装置を備えた作業機械に関する。
【背景技術】
【０００２】
一般に、クレーン等の作業機械にはエンジンが搭載され、当該エンジンの出力によって前記作業機械に含まれる駆動対象要素の駆動が行われる。油圧式の作業機械においては、前記エンジンの出力によって駆動されることにより作動油を吐出する油圧ポンプと、この油圧ポンプからの作動油の供給を受けて作動する油圧アクチュエータと、前記油圧ポンプと前記油圧アクチュエータとの間に設けられ、制御圧の入力を受けることにより前記油圧ポンプから前記油圧アクチュエータに供給される作動油の流量を変化させるコントロールバルブと、を備えた油圧駆動装置が装備される。
【０００３】
一方、前記作業機械を含む大型車両に搭載されるエンジンには、当該エンジンの作動を制御するエンジンコントローラの他、当該エンジンの排ガスを浄化するための排ガス浄化装置が付設される。この排ガス浄化装置としては、尿素水を還元剤として排ガス中の窒素酸化物を触媒反応により無害化する選択式還元触媒（ＳＣＲ：Ｓｅｌｅｃｔｉｖｅ  Ｃａｔａｌｙｔｉｃ  Ｒｅｄｕｃｔｉｏｎ）システムや、ディーゼルエンジンの排ガスにおける有害物質を含む微粒子を捕集するフィルタ（ＤＰＦ：Ｄｉｅｓｅｌ  Ｐａｒｔｉｃｌｅ  Ｆｉｌｔｅｒ）が知られている。
【先行技術文献】
【特許文献】
【０００４】
【特許文献１】特開２０１５−８６７１２号公報
【特許文献２】特開２０１５−７５０２２号公報
【発明の概要】
【発明が解決しようとする課題】
【０００５】
前記ＳＣＲシステムのように還元剤を用いて排ガスの浄化を行う装置では、これに用いられる還元剤の量や品質が低下し、あるいは当該システムに含まれるセンサやポンプ、ノズル等が故障すると、正常に作動することができなくなる。しかし、このように排ガス浄化装置が異常な状態にあってもエンジン自体は通常通り作動することが可能である。
【０００６】
そこで、前記のように排ガス浄化装置の異常が生じたままエンジンの運転が続行されることを規制すべく、当該異常の発生に伴って前記エンジンの出力トルクを制限し最終的には作業機械の運転を不能にするようなエンジン出力制限機能が前記エンジンコントローラに与えられることがある。当該エンジン出力制限機能は、前記排ガス浄化装置の異常を使用者に確実に知らせることを可能にし、さらには、最終的に作業機械の運転を不能にすることで、排ガス浄化装置に作動不良が生じた状態のまま作業機械の運転が継続して行われるのを防ぐことを可能にする。
【０００７】
しかし、前記のようなエンジンの出力の制限があっても、油圧アクチュエータを操作することが可能であるため、例えば前記排ガス処理装置の異常がきわめて深刻でその状態での作業機械の運転は禁止すべきである場合にも、ごく制限されたエンジン出力の範囲内で前記油圧アクチュエータを動かすことを許容してしまう。このような油圧アクチュエータの作動を完全に阻止するために前記エンジンを強制停止してしまうと、作業機械が全く動かなくなるため、非常状態（例えばクレーンの吊り荷が宙づりになったまま停止した状態や安全上空調設備の作動を要する極寒地で停止した状態）から緊急避難することが困難になる。
【０００８】
本発明は、このような事情に鑑み、エンジン、エンジンコントローラ、及び還元剤を用いた排ガス浄化装置を備えた作業機械に設けられる油圧駆動装置であって、前記排ガス浄化装置の状態に応じてエンジンの出力が制限されたときに油圧駆動を確実に阻止しつつも非常状態からの緊急避難を可能にするもの、及び当該油圧駆動装置を備えた作業機械を提供することを目的とする。
【課題を解決するための手段】
【０００９】
本発明は、出力軸を有するエンジンと、当該エンジンの排ガスに含まれる窒素酸化物と還元剤とを反応させる排ガス浄化装置と、前記エンジンの作動を制御するエンジンコントローラであって前記排ガス浄化装置の状態に応じて前記エンジンの出力に制限を与えるエンジンコントローラと、を備えた作業機械に設けられる油圧駆動装置を提供する。この油圧駆動装置は、前記エンジンの出力軸に連結され、当該エンジンにより駆動されることにより作動油を吐出する油圧ポンプと、当該油圧ポンプが吐出する作動油の供給を受けて前記作業機械に含まれる駆動対象要素を動かす油圧アクチュエータと、前記油圧ポンプと前記油圧アクチュエータとの間に介在し、制御圧の入力を受けて開弁動作することにより前記油圧ポンプから前記油圧アクチュエータに供給される作動油の流量を前記制御圧に応じて変化させるコントロールバルブと、前記油圧アクチュエータを動かすための操作を受ける操作部材を含み、当該操作部材に与えられる操作に対応した前記制御圧を前記コントロールバルブに入力する操作部と、前記操作部材の操作による前記操作部から前記コントロールバルブへの前記制御圧の入力を阻止する阻止状態と当該入力を許容する許容状態とに切換えられる制御圧入力切換部と、前記制御圧入力切換部の作動を制御する遮断切換制御部と、前記制御圧入力切換部を前記阻止状態から前記許容状態に切換えて前記制御圧の入力を回復させるための操作を受けることにより回復指令を生成して前記遮断切換制御部に入力する回復指令入力部と、を備える。前記遮断切換制御部は、前記エンジンコントローラが当該エンジンコントローラによる前記エンジンの出力の制限のレベルが一定以上である特定制限状態にある場合に前記制御圧入力切換部を前記阻止状態とし、かつ、前記エンジンコントローラが前記排ガス浄化装置の状態に応じた前記エンジンの出力の制限による前記特定制限状態にあっても前記回復指令が入力された場合には当該特定制限状態のまま前記制御圧入力切換部を前記許容状態にする。
【００１０】
また本発明は、前記エンジンと、前記排ガス処理装置と、前記エンジンコントローラと、前記油圧駆動装置と、を備えた作業機械を提供する。
【００１１】
前記の油圧駆動装置及び当該装置を備えた作業機械によれば、前記入力切換制御部は、前記排ガス浄化装置に深刻な異常が発生して前記エンジンコントローラが特定制限状態すなわち前記エンジンの出力の制限が一定レベル以上（例えば最高レベル）に達した状態にある場合は、原則として、制御圧入力切換部を阻止状態にして前記操作部から前記コントロールバルブへの制御圧の入力を阻止することにより、エンジン自体は停止させることなく、操作部材の操作による油圧アクチュエータの作動を確実に阻止することができる。さらに、前記入力切換制御部は、オペレータ等が回復指令部を操作した場合に例外的に前記制御圧入力切換部を前記阻止状態から許容状態に切換えて前記コントロールバルブへの制御圧の入力を回復させることにより、前記油圧アクチュエータの作動を許容して非常状態からの緊急避難を可能にする。
【００１２】
前記制御圧入力切換部は、例えば、前記阻止状態において前記操作部材の操作そのものを阻止するものでもよいが、前記操作部が、制御圧発生源と、この制御圧発生源と前記コントロールバルブの制御圧入力部との間に介在して前記操作部材に与えられる操作に対応した制御圧の入力を許容するように開弁する操作弁と、を含む場合、前記制御圧入力切換部としては前記制御圧発生源から前記制御圧入力部に至るまでの制御圧入力経路中に設けられて当該制御圧入力経路を遮断する状態と開通する状態とに切換えられる制御圧遮断弁を含むものが、好適である。この制御圧遮断弁は、前記制御圧入力経路を遮断するだけの簡単な構成で前記操作部材の操作による油圧アクチュエータの作動を不能にすることができる。
【００１３】
前記回復指令入力部は、例えば押圧操作や回動操作といった物理的な操作を受けることにより前記回復指令を入力する通常の操作スイッチでもよいし、回復スイッチを表示することが可能な表示画面を有して当該回復スイッチが表示される部位への操作によって前記回復指令を生成する表示装置であってもよい。後者の場合、前記入力切換制御部は、前記エンジンコントローラが前記特定制限状態にある場合にのみ前記表示装置に前記回復スイッチを表示させることが、好ましい。このことは、前記エンジンの出力制限以外の非常時にオペレータ等の勘違いにより前記回復指令入力部に対して本来はされるべきでない操作が行われるのを防ぐことができる。
【００１４】
前記油圧ポンプが、そのポンプ容量が調節可能な可変容量型油圧ポンプである場合、前記油圧駆動装置は、当該油圧ポンプのポンプ容量を制御するポンプ容量制御部であって少なくとも前記特定制限状態では前記ポンプ容量を制限するポンプ容量制御部をさらに備え、前記遮断切換制御部は、前記回復指令が入力された場合には前記ポンプ容量が制限されたまま前記制御圧入力切換部を前記許容状態にするのが、より好ましい。前記ポンプ容量制御部は、前記制御圧入力切換部が前記阻止状態にあって油圧アクチュエータの作動が不能であるときや、前記制御圧入力切換部が前記回復指令によって前記許容状態にあるが緊急避難を行うための最低限のポンプ吐出量があれば足りる場合に油圧ポンプの駆動に無駄な動力が消費されるのを抑止することができる。また、当該緊急避難のためのエンジンの負荷を最小限に抑えることにより、本来の油圧アクチュエータの操作禁止という趣旨を徹底することができるとともに、エンジン出力が制限された状態でのエンジン負荷の上昇による突然のエンジン停止を防ぐことができる。
【発明の効果】
【００１５】
以上のように、本発明によれば、作業機械に設けられる油圧駆動装置であって、当該作業機械の排ガス浄化装置の深刻な異常によってエンジンの出力が制限されたときに油圧駆動を確実に阻止しつつも非常状態からの緊急避難を可能にするもの、及び当該油圧駆動装置を備えた作業機械が、提供される。
【図面の簡単な説明】
【００１６】
【図１】本発明の実施の形態に係る作業機械の要部を示すブロック図である。
【図２】前記作業機械に搭載される油圧回路の一部を示す図である。
【図３】前記作業機械に設けられるメインコントローラの機能構成を示すブロック図である。
【図４】前記メインコントローラにより行われるポンプ容量制限制御及びＤＰＦ再生制御の概要を示すフローチャートである。
【図５】前記ポンプ容量制限制御の内容を示すフローチャートである。
【図６】前記ＤＰＦ再生制御の内容を示すフローチャートである。
【図７】前記メインコントローラにより行われるパイロット圧遮断制御を示すフローチャートである。
【図８】前記油圧回路における操作部を構成するパイロット回路の変形例を示す図である。
【図９】前記作業機械の一例である油圧式クレーンを示す図である。
【発明を実施するための形態】
【００１７】
本発明の好ましい実施の形態を、図面を参照しながら説明する。
【００１８】
図９は、油圧駆動装置が搭載される作業機械の一例である移動式クレーンを示す。このクレーンは、下部走行体１と、当該下部走行体１の上に旋回可能に搭載される旋回フレーム２ａ及びその上に設置される運転室２ｂを含む上部旋回体２と、前記旋回フレーム２ａの上に搭載されてクレーン作業を行う作業装置と、を備える。前記作業装置は、起伏可能なブーム３と、ブーム起伏ロープ４の巻取り及び巻出しを行うことにより前記ブーム３を起伏させるブーム起伏ウィンチ５と、吊り荷が掛けられる主巻フック６と、主巻ロープ７の巻取り及び巻出しを行うことにより前記主巻フック６及び前記吊り荷の巻上げ及び巻下げを行う主巻ウィンチ８と、図略の補巻ロープの巻取り及び巻出しを行うことにより図略の補巻フック及びこれに掛けられる吊り荷の巻上げ及び巻下げを行う補巻ウィンチ９と、を有する。
【００１９】
本発明に係る作業機械は、このような移動式クレーンに限定されない。本発明は、油圧によって駆動される要素を含む作業機械に広く適用されることが可能である。
【００２０】
図１に示すように、この実施の形態に係る作業機械は、動力を生成して排ガスを排出するエンジン１０と、このエンジン１０の排気系に設けられる微粒子捕集フィルタであるＤＰＦ１２と、さらにその下流側に設けられる排ガス処理装置であるＳＣＲ（選択式還元触媒）システム２０と、前記エンジン１０の作動を制御するエンジンコントローラ３０と、前記エンジンコントローラ３０との間で信号の送受信を行って作業機械の作動を制御するメインコントローラ４０と、前記エンジン１０からパワーデバイダ１４を介して分配される動力を用いて各駆動対象要素を油圧により駆動する油圧回路と、を備える。
【００２１】
前記ＤＰＦ１２は、前記排ガス中に含まれる微粒子を捕集するフィルタである。当該ＤＰＦ１２を継続して使用するためには、当該ＤＰＦ１２が捕捉した微粒子を消滅させる再生が必要であり、当該再生は当該微粒子を燃焼させることにより行われる。
【００２２】
前記ＳＣＲシステム２０は、例えば尿素水を還元剤として用いてこれを前記排ガス中のＮＯｘ（窒素酸化物）と触媒反応させることにより当該ＮＯｘを無害化するシステムであり、図１に示すようなＳＣＲ触媒２２と、還元剤タンク２３と、還元剤ノズル２４と、還元剤検出部２５と、排ガス検出部２６と、ＳＣＲコントローラ２８と、を含む。
【００２３】
前記ＳＣＲ触媒２２は、前記ＤＰＦ１２の下流側に配置されるマフラ１６内に酸化触媒とともに配置され、前記還元剤とＮＯｘとの酸化還元反応を促進する。前記還元剤タンク２３は、前記還元剤を貯留し、前記還元剤ノズル２４は前記還元剤タンク２３から図略の還元剤ポンプを通じて供給される還元剤を排ガス管内に適宜噴射する。還元剤が尿素水の場合、当該尿素水は排ガス管内の高温によりアンモニアとなり、前記排ガス中のＮＯｘと反応してこれを窒素ガス、水等に分解する。
【００２４】
前記還元剤検出部２５は、前記還元剤タンク２３内の還元剤の液面レベルの検出（すなわち当該還元剤の貯留量の検出）や、還元剤の劣化状態（例えば沈殿物の発生の有無や尿素の濃度）の検出を行い、前記排ガスセンサ２６は、前記マフラ１６内の排ガスの濃度やＮＯｘの濃度の検出を行う。前記ＳＣＲコントローラ２８は、前記各検出部２５，２６が生成する検出信号を取り込んでＳＣＲシステム２０全体の制御を行う。また、ＳＣＲコントローラ２８は、ＳＣＲシステム２０にその正常な作動を阻害するような重要な異常が存在する場合、例えば、前記還元剤の貯留量の減少や劣化、検出されるＮＯｘ濃度の増加、前記還元剤ポンプや還元剤ノズル２４あるいは各種センサの故障、がある場合に、その情報を伝達するための異常検出信号をエンジンコントローラ３０に入力する。
【００２５】
エンジンコントローラ３０は、エンジン１０の回転数（エンジン回転数）及び出力トルクの制御を行う。さらに、エンジンコントローラ３０は、前記ＳＣＲコントローラ２８から前記異常検出信号の入力を受けた場合に、その異常のレベルに応じて前記エンジン１０の出力トルクを制限し、最終的に作業機械の運転を不能にするようなエンジン出力制限機能を有する。この実施の形態に係るエンジンコントローラ３０は、後にも述べるように、前記異常の進行や異常発生からの経過時間に応じて前記出力トルクの制限のレベルである出力制限レベルをレベル１からレベル４まで４段階にわたって上昇させる。
【００２６】
前記メインコントローラ４０は、前記油圧回路の作動を制御することにより、作業機械の作業装置や走行装置の駆動制御を行う。さらに、この実施の形態に係るメインコントローラ４０は、後述のように、前記出力制限レベル（レベル１〜４）に応じて運転やＤＰＦ再生の制限を行う機能を有する。
【００２７】
前記油圧回路は、少なくとも一つの油圧ポンプと、複数の油圧アクチュエータと、各油圧アクチュエータに対応して設けられる複数のコントロールバルブと、を含む。前記少なくとも一つの油圧ポンプは、前記エンジン１０により駆動されて作動油を吐出する。前記複数の油圧アクチュエータは、前記油圧ポンプにより吐出される作動油の供給を受けて作動し、対応する駆動対象要素を動かす。前記複数のコントロールバルブは、制御圧であるパイロット圧の入力を受けて開弁動作することにより、対応する油圧アクチュエータに供給される作動油の流量を前記パイロット圧に応じて変化させる。図９に示される移動式クレーンの場合、前記各ウィンチ５，８，９のドラムをそれぞれ回転させる油圧モータである複数のウィンチモータや、前記下部走行体１を走行させる油圧モータである走行モータ等が含まれる。
【００２８】
図２は、前記油圧回路に含まれる回路であって、ウィンチを駆動するための駆動回路５０と、これに付設されるパイロット回路６０と、を代表的に例示する。
【００２９】
前記駆動回路５０は、油圧ポンプ５２と、前記複数の油圧アクチュエータのうちの一つである油圧モータ５４と、当該油圧モータ５４について与えられたコントロールバルブ５６と、負荷掛け用の圧力制御弁である負荷掛け弁５８と、を含む。
【００３０】
前記油圧ポンプ５２は、前記エンジン１０の出力軸に前記パワーデバイダ１４を介して連結され、当該エンジン１０の生成する動力により駆動されて作動油を吐出する。当該油圧ポンプ５２は、そのポンプ容量（押しのけ容積）が調節可能である可変容量型の油圧ポンプである。当該油圧ポンプ５２にはレギュレータ５１が設けられ、このレギュレータ５１は前記メインコントローラ４０から容量制御信号の入力を受けることにより作動して前記油圧ポンプ５２のポンプ容量を変化させる。
【００３１】
前記油圧モータ５４は、一対のポート５４ａ，５４ｂと、ウィンチドラムに連結される出力軸と、を有する。当該油圧モータ５４は、前記一対のポート５４ａ，５４ｂのうちの一方のポートへの作動油の供給を受けることによりその一方のポートに対応した方向に回転して前記ウィンチドラムを回し、他方のポートから作動油を排出する。図２では、一つの油圧ポンプ５２に対して一つの油圧モータ５４が接続されているが、一つの油圧ポンプに複数の油圧アクチュエータが接続されてもよい。
【００３２】
前記コントロールバルブ５６は、前記油圧ポンプ５２と前記油圧モータ５４との間に介在し、当該油圧ポンプ５２から当該油圧モータ５４に供給される作動油の流量を変化させるように開弁動作する。当該コントロールバルブ５６は、一対のパイロットポート５６ａ，５６ｂを有するパイロット式の３位置切換弁からなり、両パイロットポート５６ａ，５６ｂは前記パイロット回路６０から制御圧であるパイロット圧の供給を受ける。コントロールバルブ５６は、両パイロットポート５６ａ，５６ｂに入力されるパイロット圧がいずれも微小範囲内であるときは中立位置を保って前記油圧ポンプ５２から前記油圧モータ５４への作動油の供給を遮断して当該油圧モータ５４を非駆動状態にする一方、前記パイロットポート５６ａ，５６ｂのいずれかに前記微小範囲を超えるパイロット圧が入力されるとそのパイロット圧が入力されたパイロットポートに対応する向きにそのパイロット圧の大きさに応じたストロークで開弁動作し、当該パイロット圧に対応した流量で前記油圧ポンプ５２から前記油圧モータ５４に作動油が供給されることを許容するとともに前記油圧モータ５４から排出される作動油をタンクに導く油路を形成する。
【００３３】
前記負荷掛け弁５８は、前記ＤＰＦ１２の再生のための負荷掛け動作、具体的には、前記油圧ポンプ５２の吐出圧を上昇させて当該油圧ポンプ５２の駆動負荷を増大させることにより前記エンジン１０の負荷を増やして排ガス温度を高める動作、を行う。当該負荷掛け弁５８は、前記油圧ポンプ５２と前記コントロールバルブ５６とを接続するポンプラインに設けられるパイロット操作型の圧力制御弁である。すなわち、当該負荷掛け弁５８はパイロットポートを有し、当該負荷掛け弁５８の一次圧を前記パイロットポートに入力されるパイロット圧に対応した設定圧以上に保つように開閉動作する。
【００３４】
前記負荷掛け切換弁５７は、前記負荷掛け弁５８の設定圧を切換えるように前記負荷掛け弁５８の開閉により行われる。当該負荷掛け切換弁５７は、負荷掛けソレノイド５７ａを有する電磁切換弁からなり、前記負荷掛けソレノイド５７ａが励磁されないときは開通位置を保って前記負荷掛け弁５８のパイロットポートをタンクに連通することにより当該負荷掛け弁５８をオフの状態（負荷をかけない状態）に保つ一方、前記メインコントローラ４０から入力される励磁電流（負荷掛け指令信号）によって前記負荷掛けソレノイド５７ａが励磁されると前記パイロットポートとタンクとの間を遮断して前記負荷掛け弁５８をオンの状態に切換える。
【００３５】
前記パイロット回路６０は、操作部材である操作レバー６４ａを含み、この操作レバー６４ａに与えられる操作に対応したパイロット圧を前記コントロールバルブ５６の各パイロットポート５６ａ，５６ｂに入力する操作部を構成する。具体的に、この実施の形態に係るパイロット回路６０は、パイロットポンプ６２と、リモコン弁６４と、パイロット圧遮断弁６６と、を含む。
【００３６】
前記パイロットポンプ６２は、前記エンジン１０の出力軸に前記パワーデバイダ１４を介して連結され、当該エンジン１０の生成する動力により駆動されて前記リモコン弁６４にパイロット圧の供給を行うパイロット油圧源、つまり制御圧発生源である。当該パイロットポンプ６２は、複数の油圧アクチュエータの操作に兼用されてもよい。
【００３７】
前記リモコン弁６４は、前記油圧モータ５４について設けられる操作器であり、前記操作レバー６４ａと、これに連結される弁本体６４ｂとを有する。前記操作レバー６４ａは前記油圧モータ５４ひいてはこれに連結される前記ウィンチを動かすための操作を受け、その操作に対応した方向に回動する。前記弁本体６４ｂは、前記パイロットポンプ６２と前記コントロールバルブ５６の両パイロットポート５６ａ，５６ｂとの間に介在し、当該パイロットポート５６ａ，５６ｂのうち前記操作レバー６４ａに与えられる操作の向きに対応したパイロットポートに対して当該操作の量に対応した大きさのパイロット圧を導くように開弁動作する。つまり、当該弁本体６４ｂは、操作部材である前記操作レバー６４ａに与えられる操作に対応した制御圧の入力を許容するように開弁する操作弁である。
【００３８】
前記パイロット回路６０はさらにパイロット圧センサ６８Ａ，６８Ｂを含む。当該パイロット圧センサ６８Ａ，６８Ｂは前記リモコン弁６４と前記両パイロットポート５６ａ，５６ｂとを結ぶパイロットラインにそれぞれ設けられて前記パイロットポート５６ａ，５６ｂに入力されるパイロット圧を検出する。具体的には、当該パイロット圧に対応した電気信号である操作検出信号を生成して前記メインコントローラ４０に入力する。
【００３９】
前記パイロット圧遮断弁６６は、前記パイロットポンプ６２と前記リモコン弁６４とを結ぶパイロット圧一次ラインに設けられ、前記パイロットポンプ６２から各パイロットポート５６ａ，５６ｂへのパイロット圧すなわち制御圧の入力を許容する状態と当該入力を遮断する遮断状態（換言すれば、当該入力を阻止する阻止状態）とに切換えられる制御圧入力切換部を構成する。この実施の形態に係るパイロット圧遮断弁６６は、パイロット圧遮断解除ソレノイド６６ａを有する電磁切換弁であり、前記パイロット圧遮断ソレノイド６６ａが励磁されないときは前記パイロット圧一次ラインを遮断する位置すなわち前記パイロットポート５４ａ，５４ｂへのパイロット圧の供給を遮断する遮断位置を保ち、前記パイロット圧遮断解除ソレノイド６６ａに励磁電流であるパイロット圧遮断解除信号が入力されて当該ソレノイド６６ａが励磁されると前記パイロット圧一次ラインを開通して前記パイロットポート５４ａ，５４ｂへのパイロット圧の供給を許容する位置すなわち前記パイロット圧の遮断を解除する遮断解除位置（許容位置）に切換えられる。
【００４０】
前記パイロット圧遮断弁６６の切換は、図２に示されるパイロット圧遮断切換回路７０によって行われる。当該パイロット圧遮断切換回路７０は、前記運転室２ｂ内に設けられる乗降操作レバーの操作と、前記メインコントローラ４０による指令と、に対応して前記パイロット圧遮断弁６６の切換を行う。
【００４１】
前記乗降操作レバーは、運転者の乗降路を開通する開通位置と遮断する遮断位置との間で操作され、運転作業の際には前記遮断位置に切換えられる。前記パイロット圧遮断切換回路７０は、前記乗降操作レバーが前記遮断位置に切換えられかつ前記メインコントローラ４０がパイロット圧の遮断の解除を許容した場合にのみ、前記パイロット圧遮断弁６６のパイロット圧遮断解除ソレノイド６６ａを通電してパイロット圧の遮断を解除する。
【００４２】
具体的に、前記パイロット圧遮断切換回路７０は、遮断切換用電源７２と、リミットスイッチ７４と、コイル励磁用電源７６と、リレーコイル７８ａ及びリレー接点７８ｂを有するリレー回路７８と、を含む。前記リミットスイッチ７４及び前記リレー接点７８ｂは、前記遮断切換用電源７２と前記パイロット圧遮断解除ソレノイド６６ａとを結ぶ遮断解除回路に直列で配置される。前記リミットスイッチ７４は常開スイッチであり、前記乗降操作レバーが前記遮断位置に切換えられた場合にのみ閉じる。前記リレー接点７８ｂは常閉接点であり、前記リレーコイル７８ａが通電された場合にのみ開く。前記メインコントローラ４０は、後述のように作業機械が所定の状態にあるときにのみ前記パイロット圧の強制遮断を行うべく前記コイル励磁用電源７６による前記リレーコイル７８ａの通電を可能にして前記リレー接点７８ｂを開く。
【００４３】
この実施の形態では、乗降操作レバーの操作に応じてパイロット圧の遮断の切換を行うパイロット圧遮断弁６６が本発明に係る制御圧遮断弁として兼用されているが、本発明はこれに限られない。例えば、前記乗降操作レバーのない作業機械において専らエンジン出力制限時の制御圧入力阻止に用いられる専用の制御圧遮断弁が設けられてもよい。
【００４４】
前記メインコントローラ４０は、前記ＳＣＲシステム２０の異常によるエンジン出力の制限及び前記ＤＰＦ１２の再生に関連する制御機能として、図３に示すようなポンプ容量制御部４２、ＤＰＦ再生制御部４４及びパイロット圧遮断制御部４６を有する。
【００４５】
前記ポンプ容量制御部４２は、前記油圧ポンプ５２のポンプ容量を制御する。具体的には、現在の運転状態において要求されるポンプ容量である要求ポンプ容量を算定し、このポンプ容量が得られるように前記レギュレータ５１に制御信号を入力する。
【００４６】
さらに、このポンプ容量制御部４２は、前記エンジンコントローラ３０により前記エンジン１０の出力が制限されるのに伴って前記ポンプ容量を制限する機能を有する。具体的には、前記油圧ポンプ５２のもつ最大ポンプ容量よりも小さいポンプ容量上限値を設定し、前記のように算定した要求ポンプ容量が前記ポンプ容量上限値以下の場合にはその要求ポンプ容量に実際のポンプ容量を調節し、前記要求ポンプ容量が前記ポンプ容量上限値を上回る場合には実際のポンプ容量を前記ポンプ容量上限値に設定する。
【００４７】
前記エンジンコントローラ３０は、上述のように、前記ＳＣＲシステム２０の異常の進行や異常発生からの経過時間に応じて前記出力制限レベルを複数段階（この実施の形態ではレベル１からレベル４までの４段階）にわたって上昇させるが、これに対応して前記ポンプ容量制御部４２は、当該出力制限レベルが高いほど前記ポンプ容量の制限の度合いを高めるように（具体的には前記ポンプ容量上限値を低くするように）当該出力制限レベルに応じたポンプ容量の制限を行う。その内容については後に詳述する。
【００４８】
前記ＤＰＦ再生制御部４４は、前記負荷掛け切換弁５７の負荷掛けソレノイド５７ａの通電／非通電を切換えることにより、前記負荷掛け弁５８の作動をオンオフさせて、ＤＰＦ１２の再生のための負荷掛け操作（エンジン負荷の増大）の制御を行う。当該ＤＰＦ再生制御部４４は、原則として、前記エンジンコントローラ３０から前記ＤＰＦ１２の再生の要求があった場合に前記負荷掛け切換弁５７を閉じる、つまり負荷掛けソレノイド５７ａを通電する、ことにより前記負荷掛け弁５８を作動させて油圧ポンプ５２の駆動のためのエンジン１０の負荷を上昇させ、これにより排ガス温度を上昇させて前記ＤＰＦ１２の再生を行わせる一方、前記エンジンコントローラ３０により前記エンジンの出力が制限されるのに伴って前記再生を制限する機能を有する。
【００４９】
このＤＰＦ再生制御部４４も、前記ポンプ容量制御部４２によるポンプ容量の制限と同様、前記エンジンコントローラ３０が前記出力制限レベルを段階的に高くするのに伴って前記ＤＰＦ１２の再生の制限のレベルである再生制限レベルを高めるように当該出力制限レベルに応じた当該再生の制限を行う。具体的に、当該再生制御部４４は、後にも述べるように、前記出力制限レベルがレベル４の場合には前記負荷掛け弁５７の作動による前記再生を無条件で禁止する一方、前記出力制限レベルがレベル２またはレベル３である場合には、前記油圧ポンプ５２に接続された油圧アクチュエータである前記油圧モータ５４を動かすための操作が行われていない場合（この実施の形態ではリモコン弁６４の操作レバー６４ａが中立位置にある場合）に限定して前記負荷掛け弁５８の作動による前記ＤＰＦ１２の再生を許容する。
【００５０】
なお、本発明は前記ＤＰＦ１２を具備しない作業機械にも適用されることが可能である。従って、前記負荷掛け弁５８やＤＰＦ再生制御部４４も適宜省略されることが可能である。
【００５１】
前記ポンプ容量制御部４２及び前記ＤＰＦ再生制御部４４は、その制御の内容を適宜表示装置８０に送信する。表示装置８０は、表示画面を有し、前記制御部４２，４４から入力される制御の内容を当該表示画面上に表示させる。また、当該表示装置８０は、当該表示画面上にスイッチを表示し、このスイッチに対して指等の接触による操作が行われたときにその操作信号を前記メインコントローラ４０に入力する操作装置としても機能する。
【００５２】
前記パイロット圧遮断制御部４６は、前記パイロット圧遮断回路７０によるパイロット圧の遮断の切換の制御を行う。換言すれば、当該パイロット圧遮断制御部４６は、制御圧入力切換部である前記パイロット圧遮断弁６６の切換制御を行う入力切換制御部である。具体的に、当該パイロット圧遮断制御部４６は、原則として、前記エンジンコントローラ３０による出力制限レベルが一定以上である特定制限状態にある場合、この実施の形態では前記出力制限レベルが最高レベル（レベル４）に達した場合、に前記パイロット圧遮断回路７０のリレーコイル７８ａを通電させて前記パイロット圧遮断解除ソレノイド６６ａを非励磁にすることにより前記パイロット圧の強制遮断つまりコントロールバルブ５６への制御圧の入力の阻止を行わせる。
【００５３】
さらに、当該パイロット圧遮断制御部４６は、前記特定制限状態においてのみ前記表示装置８０に回復スイッチの表示を行わせる。この回復スイッチは、前記パイロット圧遮断６６を遮断位置から許容位置（すなわち阻止状態から許容状態）に切換えてパイロット圧の入力を回復させるための操作を受けるスイッチである。当該表示装置８０は、当該回復スイッチに対して操作がなされると回復指令を生成して前記パイロット圧遮断制御部４６に入力する回復指令入力部を構成する。当該パイロット圧遮断制御部４６は、前記特定制限状態であっても前記回復指令が入力された場合には例外的に前記パイロット圧の強制遮断を解除する。つまり制御圧入力を許容する。
【００５４】
次に、前記メインコントローラ４０により実際に行われる制御動作を、図４〜図７のフローチャートを参照しながら説明する。
【００５５】
図４は、前記エンジン出力の制限に関連する制御のメインルーチンを示す。メインコントローラ４０は、まず、エンジンコントローラ３０から入力されるエンジン出力制限信号を取込み（ステップＳ１）、これに基づき、ＳＣＲシステム２０に関連する異常が発生しかつこれに基づき実際にエンジン１０の出力トルクが制限されているか否かを判定する（ステップＳ２）。当該異常及びこれに基づく出力トルクの制限がある場合（ステップＳ２でＹＥＳ）、前記メインコントローラ４０のポンプ容量制御部４２は、当該出力トルクの制限に対応して油圧ポンプ５２のポンプ容量を制限する制御を行う（ステップＳ３）。
【００５６】
図５は、そのポンプ容量の制限のための制御の内容を示す。前記のように、この実施の形態に係るエンジンコントローラ３０はエンジン１０の出力トルクの制限のレベルである出力制限レベルをレベル１〜レベル４の４段階にわたって徐々に高めることから、前記ポンプ容量制御部４２は、まず、前記エンジン出力制限信号に基いて、現在の出力制限レベルがどのレベルにあるかを判定する（ステップＳ３０１〜Ｓ３０３）。ここで、前記レベル１は、出力制限の最も軽いレベルであって、作業機械の通常運転にはほとんど支障のないレベルである。これに対して前記出力制限レベル４は、出力制限が最も重いレベルであってエンジン１０のアイドリング運転またはこれに近い運転のみが許容されるレベルであり、実質上作業機械による作業を不能にするレベルである。
【００５７】
前記出力制限レベルがレベル１である場合（ステップＳ３０１でＹＥＳ）は、特にその出力制限に起因するエンジン停止のおそれがないため、前記ポンプ容量制御部４２は、前記ポンプ容量の制限は行わず、操作者に注意を促すべく現在の出力制限レベルがレベル１であることのアナウンスの表示を表示装置８０に行わせる（ステップＳ３０４）。さらに、前記メインコントローラ４０のＤＰＦ再生制御部４４は、当該出力制限レベル１に対応して再生制限レベルを０（制限なし）に設定する（ステップＳ３０５）。
【００５８】
前記出力制限レベルがレベル２である場合（ステップＳ３０１でＮＯかつステップＳ３０２でＹＥＳ）、前記ポンプ容量制御部４２は、前記ポンプ容量の上限値を前記油圧ポンプ５２がもつ最大容量の７５％に制限してその旨のアナウンスの表示を表示装置８０に行わせる（ステップＳ３０６）。同様に、前記出力制限レベルがレベル３である場合（ステップＳ３０１，Ｓ３０２でＮＯかつステップＳ３０３でＹＥＳ）、前記ポンプ容量制御部４２は、前記ポンプ容量の上限値を最大容量の５０％に制限してその旨のアナウンスの表示を表示装置８０に行わせる（ステップＳ３０７）。前記ＤＰＦ再生制御部４４は、前記出力制限レベルがレベル２、レベル３のいずれの場合においても、これに対応して再生制限レベルを１（中間制限）に設定する（ステップＳ３０８）。
【００５９】
前記出力制限レベルがレベル４（最高レベル）である場合（ステップＳ３０１〜Ｓ３０３のいずれにおいてもＮＯ）、前記ポンプ容量制御部４２は、前記ポンプ容量を最小容量（実質上エンジン１０に油圧ポンプ５２の駆動のための負荷がかからない容量）に制限し、その旨のアナウンスの表示を表示装置８０に行わせる（ステップＳ３０９）。前記ＤＰＦ再生制御部４４は、前記レベル４に対応して再生制限レベルを２（再生禁止）に設定する（ステップＳ３１０）。
【００６０】
一方、前記ＳＣＲシステム２０に関連する異常がない場合、あるいは当該異常によるエンジン出力トルクの制限がない場合（図４のステップＳ２でＮＯ）、前記ポンプ容量制御部４２はポンプ容量の制限を解除する（ステップＳ４）とともに前記各アナウンスを消去する（ステップＳ５）。また、ＤＰＦ再生制御部４４は、再生制限レベルを０（制限なし）に設定する（ステップＳ６）とともに、ＤＰＦ１２が再生中であるか否かを判定するための再生中判定フラグを０に設定する（ステップＳ７）。
【００６１】
前記ポンプ容量制御部４２による前記のポンプ容量制御に加え、前記ＤＰＦ再生制御部４４は、ＤＰＦ再生制御を実行する（図４のステップＳ８）。その具体的内容を図６のフローチャートを参照しながら説明する。
【００６２】
前記エンジンコントローラ３０は、エンジンの運転状態に基づき、ＤＰＦ自動再生の要否を判断する。当該エンジンコントローラ３０からＤＰＦ自動再生の要求があると（ステップＳ８００でＹＥＳ）、ＤＰＦ再生制御部４４はまず前記図４のステップＳ３またはステップＳ６においてエンジン出力レベルに応じて設定された再生制限レベルを確認する（ステップＳ８０１，Ｓ８０２）。
【００６３】
前記再生制限レベルが０の場合（ステップＳ８０１でＹＥＳ）、すなわちＤＰＦ１２の再生に制限がない場合、ＤＰＦ再生制御部４４は操作レバー６４ａが中立位置に戻されることを確認してから（ステップＳ８０３でＹＥＳ）負荷掛けソレノイド５７ａを励磁することにより（ステップＳ８０４）負荷掛け弁５８を作動させ、これにより油圧ポンプ５２を駆動するためのエンジン１０の負荷を上昇させて排ガス温度を上昇させることにより、前記ＤＰＦ１２の再生を行う。負荷掛け状態をオフからオンに切換えるタイミングを前記操作レバー６４ａの中立位置への復帰まで遅らせているのは、当該操作レバー６４ａが操作されて油圧モータ５４が駆動されている状態で負荷掛けが開始されることによる急激なエンジン負荷の上昇でショックが生じるのを回避するためである。
【００６４】
前記排ガス温度を上昇させるため、前記油圧ポンプ５２の負荷の上昇に加えてエンジン回転数も増加される。前記ＤＰＦ再生制御部４４はそのエンジン回転数の上昇のアナウンスも表示装置８０に表示させる（ステップＳ８０５）とともに、前記再生中判定フラグを１に設定する（ステップＳ８０６）。
【００６５】
前記再生制限レベルが１の場合（ステップＳ８０１でＮＯかつステップＳ８０２でＹＥＳ）、ＤＰＦ再生制御部４４は、前記操作レバー６４ａが中立位置にある場合にのみ（ステップＳ８０７でＹＥＳ）、つまり油圧モータ５４についての操作が行われておらず当該油圧モータ５４の駆動のためのエンジン１０の負荷が実質上ないとみなせる場合にのみ、前記再生制限レベルが０の場合と同様にＤＰＦ１２の自動再生制御を行う（ステップＳ８０４〜８０６）。ただし、この場合は。前記再生制限レベルが０の場合（つまり前記出力制限レベルがレベル１であるかあるいはエンジン出力トルクの制限が全くない場合）と異なり、前記油圧ポンプ５２のポンプ容量が当該油圧ポンプ５２の最大容量の７５％または５０％に制限されているので（図５のステップＳ３０６またはＳ３０７）、前記ポンプ容量制御部４２は前記ＤＰＦ１２の再生が可能となる程度まで前記ポンプ容量の制限を緩和する（ステップＳ８０８）。
【００６６】
一方、前記操作レバー６４ａが中立位置にない場合（ステップＳ８０７でＮＯ）、つまり前記油圧モータ５４についての操作が行われていてその分エンジン１０に負荷がかかっている場合、エンジン停止の回避を優先すべく、前記ＤＰＦ再生制御部４４はＤＰＦ１２の再生を禁止する。具体的には、図２に示されるリレーコイル５８ａを通電して前記負荷掛けソレノイド５７ａを非励磁にし（ステップＳ８１０）、エンジン回転数の増加のアナウンスを消去して（ステップＳ８１１）、再生中判定フラグを０にする（ステップＳ８１２）。前記ポンプ容量制御部４２も、エンジン停止の回避を優先すべく、前記ポンプ容量の制限を完全復帰させる（ステップＳ８０９）。
【００６７】
前記再生制限レベルが２の場合（ステップＳ８０１，Ｓ８０２でＮＯ）、前記ＤＰＦ再生制御部４４は、前記操作レバー６４ａが中立位置にあるか否かを問わず、無条件でＤＰＦ１２の再生を禁止する（ステップＳ８１０〜Ｓ８１２）。同様に、前記ポンプ容量制御部４２も前記ポンプ容量の制限を完全復帰させる（ステップＳ８０９）。
【００６８】
前記エンジンコントローラ３０からＤＰＦ１２の自動再生の要求がない場合（ステップＳ８００でＮＯ）、前記ＤＰＦ再生制御部４４は前記回転数増加のアナウンスを消去する（ステップＳ８１３）。ここで、再生中判定フラグが１の場合は（ステップＳ８１４でＹＥＳ）前記と同様にポンプ容量制限の復帰及びＤＰＦ再生禁止動作が行われ（ステップＳ８０９〜Ｓ８１２）、再生中判定フラグが０の場合は（ステップＳ８１４でＮＯ）現状が維持される。
【００６９】
なお、前記ＤＰＦ１２が搭載されない作業機械では前記ＤＰＦ再生制御が省略されることはいうまでもない。
【００７０】
この実施の形態に係る前記メインコントローラ４０のパイロット圧遮断制御部４６は、図７に示すようなパイロット圧遮断制御つまり制御圧入力切換制御を行う。
【００７１】
当該パイロット圧遮断制御部４６は、前記エンジンコントローラ３０が前記特定制限状態にある場合、この実施の形態では前記出力制限レベルが最高レベルであるレベル４の場合、にのみ（ステップＳ１１でＹＥＳ）、前記乗降操作レバーに連動するリミットスイッチ７４の開閉にかかわらずリレー接点７８ｂを開くことによりパイロット圧遮断弁６６のパイロット圧遮断解除ソレノイド６６ａを非励磁にしてパイロットポンプ６２からリモコン弁６４へのパイロット圧の供給を強制遮断する（ステップＳ１２）。これにより、エンジン１０を停止させることなく、オペレータによる油圧モータ５４の操作が確実に不能にされる。つまり、ＳＣＲシステム２０が深刻な異常状態にあるにもかかわらず油圧アクチュエータである油圧モータ５４の操作が行われることが確実に阻止される。
【００７２】
このとき、前記パイロット圧の遮断による操作の無効化にかかわらず作業機械の高い安全性を確保するためには、前記パイロット圧の供給の遮断とともに対応する油圧アクチュエータである油圧モータ５４の作動を確実にロックする手段が装備されることが好ましい。具体的には、コントロールバルブ５６が中立位置において前記油圧モータ５４をタンクから遮断するように当該コントロールバルブ５６が構成されてもよいし、前記パイロット圧の供給の遮断とともに駆動対象要素（例えばウインチドラムや吊りロープ）に制動をかけるネガブレーキが設けられてもよい。
【００７３】
前記パイロット圧遮断制御部４６は、さらに、表示装置８０に回復スイッチを表示させる（ステップＳ１３）。この回復スイッチは、前記エンジンコントローラ３０が前記特定制限状態にあるにもかかわらず使用者の意図により前記コントロールバルブ５６へのパイロット圧の入力を回復するための操作を受けるスイッチであり、当該操作は、前記表示画面のうち当該回復スイッチが表示される部位への指等の接触により行われる。前記表示装置８０は、前記回復スイッチに対する操作を受けた場合に回復指令を生成して前記パイロット圧遮断制御部４６に入力する。
【００７４】
前記パイロット圧遮断制御部４６は、前記回復スイッチの操作により前記回復指令が入力された場合にのみ（ステップＳ１４）、例外的に前記パイロット圧の遮断を解除する（ステップＳ１５）。つまり前記リレー接点７８ｂを閉じてパイロット圧遮断弁６６のパイロット圧遮断解除ソレノイド６６ａが励磁可能な状態にする。これにより、作業機械の緊急避難に最低限必要な動作が許容される。例えば、吊り作業時にウィンチの駆動のためのパイロット圧の入力が遮断されたことにより吊り状態のまま停止してしまった吊り荷を地上まで降ろす作業や、前記パイロット圧の入力の遮断により停止した作業機械を最低速度で安全な場所まで走行させること、が許容される。
【００７５】
前記パイロット圧遮断制御部４６は、その後、エンジン始動スイッチがオフにされた時点で（ステップＳ１６でＹＥＳ）前記回復スイッチをオフにする。つまり、パイロット圧遮断解除をリセットする（ステップＳ１７）。
【００７６】
本発明は、以上説明した実施の形態に限定されず、例えば次のような形態を含む。
【００７７】
（１）エンジン出力トルクの制限について
エンジンコントローラ３０によるエンジン出力トルクの制限は、前記実施形態のように複数段階にわたって高められるものに限られない。例えば、単一段階のみで制限がかけられるものでもよいし、終始連続的に制限レベルが高められるものでもよい。いずれの場合においても、コントロールバルブへの制御圧入力の阻止が行われるべき特定制限状態は自由に設定されることが可能である。すなわち、特定制限状態は、前記のようにエンジン出力トルクの出力制限レベルが最高レベルにある状態に限られず、特定レベル以上の状態、例えばレベル３以上の状態に設定されてもよい。
【００７８】
（２）ポンプ容量の制限について
本発明において、前記エンジン出力トルクの制限に伴うポンプ容量の制限は必須のものではなく、省略されてもよい。あるいは、エンジンコントローラが前記特定制限状態にある場合にのみポンプ容量の制限が行われてもよい。この特定制限状態でのポンプ容量の制限は、前記制御圧入力切換部が前記阻止状態にあって油圧アクチュエータの作動が不能であるときや、前記制御圧入力切換部が前記回復指令によって前記許容状態にあるが緊急避難を行うための最低限のポンプ吐出量があれば足りる場合に油圧ポンプの駆動に無駄な動力が消費されるのを抑止することを可能にする。また、当該緊急避難のためのエンジンの負荷を最小限に抑えることにより、本来の油圧アクチュエータの操作禁止という趣旨を徹底することができるとともに、エンジン出力が制限された状態でのエンジン負荷の上昇による突然のエンジン停止を防ぐことができる。
【００７９】
（３）操作部について
コントロールバルブ５６を操作するための操作部は図２に示すパイロット回路６０に限定されない。例えば、前記リモコン弁６４に代え、あるいはこれに加え、図８に示すような電気レバー装置９０と一対のパイロット圧調節用の電磁比例減圧弁６７Ａ，６７Ｂを含むものでもよい。前記電気レバー装置９０は、運転者による操作を受けてその操作に対応する電気信号をメインコントローラ４０に入力する。前記一対の電磁比例減圧弁６７Ａ，６７Ｂは、パイロットポンプ６２と両パイロットポート５６ａ，５６ｂを結ぶパイロットラインにそれぞれ設けられ、前記電気レバー装置９０の操作に応じて前記メインコントローラ４０から前記電磁比例減圧弁６７Ａ，６７Ｂに入力された信号に対応する設定圧までパイロット圧を減圧する。
【００８０】
（４）制御圧入力阻止の具体的な態様について
本発明において、制御圧の入力を阻止する具体的態様は、図２に示すようなリモコン弁６４へのパイロット圧の供給の遮断に限定されない。例えば、図８に示される操作部の場合、前記メインコントローラ４０は、前記電気レバー装置９０の操作にかかわらず前記電磁比例減圧弁６７Ａ，６７Ｂの設定圧を最低値に維持することにより、強制的な制御圧入力阻止を実行することができる。あるいは、操作部材の動きそのものをロックすることによっても制御圧の入力の阻止を行うことが可能である。
【００８１】
また、制御圧の入力の阻止及びその解除は、一部の油圧アクチュエータについてのみ、あるいは油圧アクチュエータの一部の動きについてのみ、行われてもよい。例えば、制御圧入力切換部及び入力切換制御部は、エンジンコントローラが前記特定制限状態にあるときに、一部の油圧アクチュエータの操作のみを禁止するように、例えば作業装置を構成する油圧アクチュエータの操作は禁止するが走行用の油圧アクチュエータの操作は許容するように、一部の油圧アクチュエータ及びこれに対応するコントロールバルブについてのみ制御圧の入力を阻止するものであってもよい。あるいは、制御圧入力切換部及び入力切換制御部は、当該入力切換制御部に回復指令が入力されたとき、全ての油圧アクチュエータの動きではなく緊急避難のために要する油圧アクチュエータの動きのみを許容するように一部の制御圧の入力のみを回復させるものであってもよい。例えば、図８に示す油圧回路の前記油圧モータ５４がウィンチモータであって前記電磁比例減圧弁６７Ａ，６７Ｂがそれぞれ巻上げ用パイロット圧及び巻下げ用パイロット圧を変化させるものである場合、メインコントローラ４０のパイロット圧遮断制御部（入力切換制御部）は、回復指令が入力されたときに吊り荷を下ろすために必要な巻下げ動作のみを許容すべく巻下げ用電磁比例減圧弁６７Ｂの設定圧のみを最低値よりも大きな値まで回復させて巻下げ用パイロット圧の入力は許容する一方、巻上げ用電磁比例減圧弁６７Ａの設定圧は最低値に保って巻上げ用パイロット圧の入力の阻止は維持する制御を行ってもよい。
【００８２】
（５）回復指令入力部について
本発明に係る回復指令入力部の具体的構成は限定されない。例えば、当該回復指令入力部は、押圧操作や回動操作といった物理的な操作を受ける接点スイッチであってもよい。しかし、前記のように回復スイッチを表示することが可能な表示画面を有して当該回復スイッチが表示される部位への操作によって前記回復指令を生成する表示装置であれば、前記入力切換制御部は、前記エンジンコントローラが前記特定制限状態にある場合にのみ前記表示装置に前記回復スイッチを表示させることが可能であり、これにより、前記エンジンの出力制限以外の非常時にオペレータ等の勘違いにより前記回復指令入力部に対して本来はされるべきでない操作が行われるのを防ぐことができる。また、同様の趣旨で、前記接点スイッチが用いられる場合も、前記入力切換制御部は、前記エンジンコントローラが前記特定制限状態にある場合にのみ前記回復指令入力部に入力される回復指令を有効と判断してそれ以外の場合は当該回復指令を無効と判断することが、好ましい。
【符号の説明】
【００８３】
１０    エンジン
２０    ＳＣＲシステム（排ガス処理装置）
３０    エンジンコントローラ
４０    メインコントローラ
４２    ポンプ容量制御部
４６    パイロット圧遮断制御部（入力切換制御部を構成する制御圧遮断弁）
５０    駆動回路
５２    油圧ポンプ
５４    油圧モータ（油圧アクチュエータ）
５６    コントロールバルブ
６０    パイロット回路（操作部）
６２    パイロットポンプ（制御圧発生源）
６４    リモコン弁
６４ａ  操作レバー（操作部材）
６４ｂ  リモコン弁の弁本体（操作弁）
６６    パイロット圧遮断弁（制御圧入力切換部）
６７Ａ，６７Ｂ  電磁比例減圧弁（制御圧入力切換部）
７０    パイロット圧遮断回路
８０    表示装置
９０    電気レバー装置（操作部を構成）
【図１】
0006304207.tif 000002
【図２】
0006304207.tif 000003
【図３】
0006304207.tif 000004
【図４】
0006304207.tif 000005
【図５】
0006304207.tif 000006
【図６】
0006304207.tif 000007
【図７】
0006304207.tif 000008
【図８】
0006304207.tif 000009
【図９】
0006304207.tif 000010